(57)【特許請求の範囲】
【請求項１】
無機質繊維製の断熱素材の上面、下面、各側面および各端面のうち、少なくとも上面が透湿性を有する外皮で被覆され、下面が防湿性を有する外皮で被覆されている断熱材において、前記防湿性を有する外皮の外面に、該外面より広い面積で、かつ外側耳部を形成する厚さ１００μｍ以上の厚さの合成樹脂フィルムを主材とする防湿フィルムが接着されている無機質繊維製耳付断熱材。
【請求項２】
無機質繊維製の断熱素材の上面、下面、各側面および各端面のうち少なくとも上面と下面とが透湿性を有する外皮で被覆されている断熱材において、下面の透湿性を有する外皮の外面に、該外面より広い面積で、かつ外側耳部を形成する厚さ１００μｍ以上の厚さの合成樹脂フィルムを主材とする防湿フィルムが接着されている無機質繊維製耳付断熱材。
【請求項３】
無機質繊維製の断熱素材の上面、下面、各側面および長手方向両端面のうち、少なくとも上下両面を被覆する外皮が、下面の左右両側において、折り畳まれた内側耳部を形成している請求項１または請求項２記載の無機質繊維製耳付断熱材。
【請求項４】
無機質繊維製であり、６面が外皮で被覆されていない断熱素材の下面に、該下面より広い面積で、かつ外側耳部を形成する厚さ１００μｍ以上の厚さの合成樹脂フィルムを主材とする防湿フィルムが接着されている無機質繊維製耳付断熱材。
【請求項５】
防湿フィルムの一側の外側耳部が、断熱材の側面から１５０mm以上の張り出し幅とされ、他側の外側耳部が、断熱材の側面から１００〜２５０mmの範囲の張り出し幅とされている請求項１ないし請求項４のいずれかに記載の無機質繊維製耳付断熱材。
【請求項６】
無機質繊維製の断熱素材の上面、各側面および各端面のうち、少なくとも上面が透湿性を有する外皮で被覆され、断熱性素材の下面に、該下面の面積より広く、かつ外側耳部を形成する厚さ１００μｍ以上の厚さの合成樹脂フィルムを主材とする防湿フィルムが接着されており、防湿フィルムの一側の外側耳部が、断熱材の側面から１５０mm以上の張り出し幅とされ、他側の外側耳部が、断熱材の側面から１００〜２５０mmの範囲の張り出し幅とされている無機質繊維製耳付断熱材。
【請求項７】
断熱材の長手方向両端の端面から、防湿フィルムが、それぞれ２５０mm以下の張り出し幅で張り出された長手方向外側耳部を有する請求項１ないし請求項６のいずれかに記載の無機質繊維製耳付断熱材。
【請求項８】
無機質繊維製の平均繊維径が４〜８μｍの範囲から選定されている請求項１ないし請求項７のいずれかに記載の無機質繊維製耳付断熱材。
【請求項９】
直６面体の断熱素材の６面が外皮で被覆されている請求項１、請求項２、請求項３、請求項５、請求項６、請求項７または請求項８のいずれかに記載の無機質繊維製耳付断熱材。
【請求項１０】
断熱素材の少なくとも上下両面を被覆する外皮が、下面の両側において折り畳まれて外側方へ張り出した内側耳部を形成しており、前記下面の外皮の外面に接着された厚さ１００μｍ以上の厚さの合成樹脂フィルムを主材とする防湿フィルムが外側方へ張り出した外側耳部を形成している断熱材を、防湿フィルムを室内側として、室内側から室外側へ嵌装し、前記内側耳部により柱等の構造物へ固着したのち、前記外側耳部により、柱等の構造物への固着と、隣接する断熱材の防湿フィルムへの接着とを行う無機質繊維製耳付断熱材の施工方法。
【発明の詳細な説明】
【０００１】
【発明の属する技術分野】
本発明は、ガラスウール、ロックウール等の無機質繊維製であり、下面に厚い防湿フィルムが接着されている建造物用の耳付断熱材とその施工方法との改良に関する。
【０００２】
【従来の技術】
この種の建造物用の断熱材としては、通商産業省・建設省告示第２号及び建設省告示第９９８号で指定されているＩ地域たる北海道と、２地域以下の他の都府県並びに同告示で示された「次世代基準」の１地域たる北海道と青森、岩手の両県の一部と、２地域以下の、北海道と青森、岩手の両県の一部とを除く他の都府県とでは、使用される断熱材とその取付構造が相違している。
【０００３】
前記２地域以下の各地域で使用が認められている断熱材とその取付構造は、ガラスウール、ロックウール等の無機質繊維よりなる断熱材を透湿性の室外側外皮と防湿性の室内側外皮とで被覆したものを、その外皮を利用して建造物に固定する構造、施工方法である。
【０００４】
しかし前記１地域に指定されている北海道および青森、岩手の両県の一部地域たる寒冷地では、気密性をより一層強化し、熱エネルギーの無駄を無くするため、前記外皮付き断熱材の施工後に、更に室内側から防湿層を形成する合成樹脂フィルムを張設する手段とか、あるいは防湿層の形成されていない裸の断熱材を建造物に固定したのち、別工程として室内側に厚さ０．１mm以上の厚さの合成樹脂フィルムを張設し、防湿層と気密層とを兼ねさせる手段とかを採ることが、前記告示により義務づけられている。
【０００５】
前述の防湿層、気密層を別工程として形成する場合、防湿層のとぎれ部分の発生を防止するため、防湿層同士の重ね代を１５０mm以上としたり、間柱部分では１００mm以上の重ね代をとって防湿層の接続を行っている。
【０００６】
このため、前記１地域に指定された地域での建造作業では、断熱材の取り付け、固定作業とは別工程の防湿層の形成作業が必要となり、施工壁面等の防湿層形成のためには、防湿層を緊張状態に維持する作業、重ね代を所要寸法に維持して固定する作業等の工程の増加、この作業のための作業員の増加が必然的に発生し、人件費、材料費の増加、工期の長期化等を伴う問題を有している。
【０００７】
他方、前記別工程としての防湿層の形成作業を省略できる断熱材は、現時点では存在しない。
【０００８】
【発明が解決しようとする課題】
前記従来技術の有する問題点に鑑み、本発明は、別工程としての、防湿層の張設の必要がなく、単位面積への、断熱材の嵌装、固定、防湿層の形成を１名の作業員で、一連の作業として行うことが可能であり、しかも前述の建設省告示第４５１号で指定されている１地域並びに同告示で示される「次世代基準」の１地域の断熱材の仕様に適合した構造の断熱材とその施工方法とを提供することを課題としている。
【０００９】
【課題を解決するための手段】
前記課題を解決するため、請求項１の発明では、無機質繊維製の耳付断熱材を、無機質繊維製の断熱素材の上面、下面および各側面、各端面のうち、少なくとも上面が透湿性を有する外皮で被覆され、下面が防湿性を有する外皮で被覆されている断熱材の前記防湿性を有する外皮の外面に、該外面より広い面積で、かつ外側耳部を形成する厚さ１００μｍ以上の厚さの合成樹脂フィルムを主材とする防湿フィルムが接着されているという構成とした。
【００１０】
請求項２の発明では、無機質繊維製の耳付断熱材を、無機質繊維製の断熱素材の上面、下面および各側面、各端面のうち少なくとも上面と下面とが透湿性を有する外皮で被覆されている断熱材において、下面の透湿性の外皮の外面に、該外面より広い面積で、かつ外側耳部を形成する厚さ１００μｍ以上の厚さの合成樹脂フィルムを主材とする防湿フィルムが接着されているという構成とした。
【００１１】
請求項３の発明では、請求項１または請求項２の発明に、無機質繊維製の断熱材の上面、下面、各側面および長手方向両端面のうち、少なくとも上下両面を被覆する外皮が、下面の左右両側において、折り畳まれた内側耳部を形成しているという構成要件を付加した。
【００１２】
請求項４の発明では、無機質繊維製の耳付断熱材を、無機質繊維製であり、６面が外皮で被覆されていない断熱素材の下面に、該下面より広い面積で、かつ外側耳部を形成する厚さ１００μｍ以上の厚さの合成樹脂フィルムを主材とする防湿フィルムが接着されているという構成とした。
【００１３】
請求項５の発明では、請求項１ないし請求項４のいずれかの発明に、防湿フィルムの一側の外側耳部が、断熱材の側面から１５０mm以上の張り出し幅とされ、他側の外側耳部が断熱材の側面から１００〜２５０mmの範囲の張り出し幅とされているという構成を付加した。
【００１４】
請求項６の発明では、無機質繊維製の耳付断熱材を、無機質繊維製の断熱素材の上面および各側面、各端面のうち、少なくとも上面が透湿性を有する外皮で被覆され、該断熱素材の下面に、該下面の面積より広くかつ外側耳部を形成する厚さ１００μｍ以上の厚さの合成樹脂フィルムを主材とする防湿フィルムが接着されており、防湿フィルムの一側の外側耳部が、断熱材の側面から１５０mm以上の張り出し幅とされ、他側の外側耳部が、断熱材の側面から１００〜２５０mmの範囲の張り出し幅とされているという構成とした。
【００１５】
請求項７の発明では、請求項１ないし請求項６のいずれかの発明に、断熱材の長手方向の両端の端面から防湿フィルムが、それぞれ２５０mm以下の張り出し幅で張り出された長手方向耳部を有するという構成を付加した。
【００１６】
請求項８の発明では、請求項１ないし請求項７のいずれかの発明に、無機質繊維製の平均繊維径が４〜８μｍの範囲から選定されているという構成を付加した。
【００１７】
請求項９の発明では、請求項１、請求項２、請求項３並びに請求項５ないし請求項８のいずれかの発明に、直６面体の断熱素材の６面が外皮で被覆されているという構成を付加した。
【００１９】
請求項１０の発明では、無機質繊維製耳付断熱材の施工方法を、断熱素材の少なくとも上下両面を被覆する外皮が、下面の両側において折り畳まれて外側方へ張り出した内側耳部を形成しており、前記下面の外皮の外面に接着された厚さ１００μｍ以上の厚さの合成樹脂フィルムを主材とする防湿フィルムが外側方へ張り出した外側耳部を形成している断熱材を、防湿フィルムを室内側として、室内側から室外側へ嵌装し、前記内側耳部により柱等の構造物へ固着したのち、前記外側耳部により、柱等の構造物への固着と、隣接する断熱材の防湿フィルムへの接着とを行うという構成とした。
【００２０】
【発明の実施の形態】
本発明では、無機質繊維として、平均繊維径４．０〜８．０μｍ、好ましくは５．０〜６．５μｍのガラスウール、ロックウール等が使用され、製品密度としては、耳付断熱材として１０〜３２Kg/ｍ３程度に調製され、断熱層の厚さは、用途により５０〜３００mmの範囲で選定される。
【００２１】
また断熱素材を被覆する外皮たる防湿フィルムは厚さ１０〜３０μｍ、透湿フィルムは厚さ８〜１５μｍの範囲から選定される。この断熱素材を被覆する外皮たる防湿フィルム、透湿フィルムには規則的にあるいはランダムに穴明けしてもよく、この場合、フィルム厚さは９〜５０μｍの範囲から選定され、穴径は０．１mm〜５mmの範囲で選定される。
【００２２】
また断熱素材を被覆している下面の防湿性を有する外皮の外面に接着されている厚さ１００μｍ以上の防湿フィルムとしては、ポリエチレン、ポリエステル、ポリ塩化ビニル、ポリ塩化ビニリデン、ポリカーボネート、ポリエチレンテレフタレート、ポリオレフイン系ポリエステル等のごとき合成樹脂フィルムが使用でき、またこれ等にアルミニウム等の金属を蒸着したフィルムあるいは異種合成フィルムや金属箔を接着したもの等であってもよい。
【００２３】
さらに、断熱素材を被覆している外皮と防湿フィルムとの接着は、ホットメルト接着、熱融着、超音波シール、溶剤型接着剤や粘着剤による接着等による接着が好ましい。
【００２４】
無機質繊維製の断熱素材の下面に接着された防湿フィルムと柱、壁面等との固定は、ガンタッカー止め、ステープル止め、市販の粘着テープによる粘着等により行われ、隣接する断熱材の防湿フィルム同士の接着は、前記粘着テープ等により行われるが、前記粘着テープによる接着は１条または２条列で行うことが好ましい。
【００２５】
図１は、請求項１、請求項３、請求項５および請求項８各発明を併せ適用した実施の一例を示しており、既述のごとく平均繊維径４．０〜８．０μｍのガラスウールまたはロックウール、好ましくは平均繊維径５．０〜６．５μｍのガラスウールまたはロックウールのごとき無機質繊維により、用途により、１０〜３２Kg/ｍ３の範囲の密度で、５０〜３００mmの範囲内の厚さに成形された断熱素材１は、上面２、左右両側面３、４が断熱素材１内の湿気を外部へ放出できる透湿性を有するポリエチレン、ポリエスレル等の合成樹脂フィルムの外皮５で被覆されており、下面６は断熱素材１内への湿気の浸入を阻止できる防湿性を有するポリエチレン、ポリエステル等の合成樹脂フィルムの外皮７で被覆されて断熱材１Ａに成形されている。
【００２６】
前記外皮５の両端片８、９は外側へ折り返され、外皮７の両端片１０、１１の折り返しにより包被され、端片８、９、１０、１１は、溶着あるいはホットメルト接着剤による接着等で一体化されて内側耳部１２、１３を形成している。この内側耳部１２、１３の張り出し長さは、両側面３、４から２５〜３０mmとされている。
【００２７】
この実施例では、ガラスウールの断熱素材１を密度１０Kg/ｍ３、厚さ５０mm、幅４３０mm、長さ２７４０mm、透湿性の外皮５として厚さ９μｍのアルミ蒸着穴明きポリエチレンフィルム、防湿性を有する外皮７として厚さ１５μｍのポリエチレンフィルムを、それぞれ使用している。
【００２８】
前記防湿性を有する外皮７の内側耳部１２、１３を含む全外面には、厚さ１００μｍ以上の、既述のポリエチレン、ポリエステル、ポリエチレンテレフタレート等の合成樹脂フィルムを主材とする防湿フィルム１４が、ホットメルト接着、熱融着、超音波シール、溶剤型接着剤や粘着剤による接着等の手段で接着されている。なお内側耳部１２、１３と防湿フィルム１４とは、非接着とされている。
【００２９】
前記防湿フィルム１４の図１における左側の張り出した外側耳部１５は断熱材１Ａの右側面４からの張り出し幅ＷＡが１５０mm以下とされ、図１において右側の張り出した外側耳部１６は、断熱材１の右側面３からの張り出し幅ＷＢが１００〜２５０mmの範囲に選定されている。
【００３０】
前記防湿フィルム１４の厚さを１００μｍ以上とした理由は、１００μｍ以下の同種の合成樹脂フィルムでは透湿量が単位時間当り１０g/ｍ３以上と多くなり、断熱効率の向上を図る点で好ましくないことに存する。
【００３１】
防湿フィルム１４の外側耳部１５の張り出し幅ＷＡが１５０mm以下とされているのは、柱の太さに対応してその長さが変更されるためであり、外側耳部１６の張り出し幅ＷＢが１００〜２５０mmとされているのは、柱を介して隣接する隣りの断熱材の防湿フィルムとの重なり代を１００〜１５０mm程度確保するためであり、この重なり代の長さは、柱の太さによって変化する。
【００３２】
請求項２の発明は、図１に示す実施例の防湿性を有する下面の外皮７を同実施例の外皮５と同じく透湿性の外皮とし、この透湿性の下面の外皮の外面に、同実施例における防湿性フィルム１４と同一防湿性フィルムを接着したものであり、既述の１地域以外の地域に使用される断熱材の防湿性の強化を図るものである。
【００３３】
図２は、請求項１、請求項３および請求項８の各発明を併せ適用した実施の一例であり、図１に示す実施例の防湿性フィルム１４に相当する防湿性フィルム１７の左右の外側耳部１８、１９の各張り出し幅ＷＣとＷＤが、共に１５０mmとされているほかは、図１に示す実施例と同一構成の断熱材である。
【００３４】
図３は請求項６の発明の実施の一例を示しており、ガラスウール、ロックウール等の無機質繊維製の断熱素材２０は、製品密度１６Kg/ｍ３ 、厚さ５０mm、幅４２５mm、長さ２７４０mmとされ上面にのみ透湿性を有する外皮２１として、厚さ１５μｍのアルミ蒸着ポリエチレンフィルムが接着されており、下面には防湿フィルム２２として厚さ１００μｍのポリエチレンフィルムが接着されており、断熱素材２０の下面および左右の側面には、外皮が接着されていない。また防湿フィルム２２の外側耳部２３、２４の張り出し幅ＷＥ、ＷＦはいずれも１５０mmとされている。
【００３５】
この実施例の場合は、所定の防湿性を保持しながら製品コストを低減させうる。
【００３６】
図４は、請求項１および請求項８の両発明を適用した実施の別例を示しており、断熱素材１の上下両面を被覆する外皮５Ａと７Ａとの左右両側辺５Ｂ、７Ｂが断熱素材１の左右両側面に沿って折曲され、該両側面に接着された例である。
【００３７】
図５は、請求項４および請求項８の両発明を適用した実施の一例を示しており断熱素材１の６面が全く外皮で被覆されることなく、ガラスウールあるいはロックウールが露出されたままとされ、その下面に厚さ１００μｍ以上の防湿フィルム１４が直接接着された例である。
【００３８】
図６は請求項７の発明の第１の実施例を示しており断熱材１Ａの長手方向両端の端面２５（図示例では前端面のみを示し、後端面は省略）から、断熱材１Ａの下面に接着されている既述の防湿フィルムと同様の防湿フィルム２６が、それぞれ２５０mm以下の張り出し幅Ｗgで張り出された長手方向耳部２７を有している。
【００３９】
図７は、請求項７の発明の第２の実施例であり、図６に示す実施例に示す長手方向耳部２７に相当する部分が断熱材１Ａの幅方向における防湿フィルム２８の耳部２９、３０と連続一体の長手方向耳部３１として形成された例である。
【００４０】
図８は、請求項７の発明の第３の実施例であり図７に示した実施例における長手方向耳部３１に相当する長手方向耳部３２に、断熱材１Ａの左右両側部３３、３４の下部に形成されている耳部３５、３６の外縁と平行に易切断線３７、３８を形成したものである。図示例では易切断線が短いスリットの連続とされているがミシン穴等であってもよい。
【００４１】
請求項７の発明に係る断熱材１Ａは、何れの実施例においても、長手方向両端に張り出し幅が２５０mm以下の長手方向耳部２７、３１、３２が形成されているので、栓間に断熱材１Ａを設置したとき、耳部２７、３１、３２により、敷桁あるいは床板等と断熱材の上下端の間の隙間を完全に閉塞できる。
【００４２】
特に図７に示す実施例では、隣位の断熱材との間の隙間を完全に閉塞できるし、図８に示す実施例では建造物の構造に応じ、易切断線３７、３８を切開き、折曲したり、折り畳んで接着する等の手段を採りうる。
【００４３】
図９は、請求項９の発明の実施の一例を示しており断熱素材の上下面、左右側面および長手方向の両端面の６面が透湿性を有する外皮３９、４０、４１、４２および防湿性を有する外皮４３で被覆され外皮４３の下面に防湿フィルム４４が接着され、ガラスウールの短繊維の飛散による環境悪化を防止できるようにしたものである。
【００４４】
請求項２の発明について、断熱素材の上下両面の外皮を透湿性の外皮とする旨を記述したが透湿性を有する外皮としては、図３に示す多数の小円孔を貫設したものの外に、多数の短直線スハット、ミシン目様の小孔等であってもよいことは勿論である。
【００４５】
図１０ないし図１３は、上記断熱材の施工方法のそれぞれ異なる例を、各断熱材１Ａ〜１Ｇおよびその防湿フィルム等を省略図法で略示し、柱との固着及び防湿フィルム同士の接着等の構造のみを明示しており、図１０、図１１および図１２は、図２に示される断熱材１Ａ〜１Ｄを建造物の室内側から室外側へ向けて柱間に嵌装し、斜線部分で断熱材１Ａ〜１Ｄに接着されている各防湿フィルム１７Ａ〜１７Ｄを用いて柱４５と、柱４５の両側の各断熱材との固着、接着の状態を示しており、図１０に示す例では、断熱材１Ａの外側耳部１８Ａが、先端近傍でガンタッカー止めあるいはステープル止め４６で柱４５に固定され、断熱材１Ｂの外側耳部１９Ｂが外側耳部１８Ａの外面に重ねられ、先端近傍で粘着テープ４７で外側耳部１８Ａに接着されている。
【００４６】
図１１に示す例では防湿フィルム１７Ａの外側耳部１８Ａが柱４５に粘着テープ４８で接着された点で図１０に示すものと相違している。
【００４７】
図１２に示す例では、断熱材１Ｃの防湿フィルム１７Ｃの外側耳部１８Ｃが、前記外側耳部１８Ａより張り出し長さが短いため、断熱材１Ｃ寄り部分でガンタッカー止め４９で柱４５に固定され、断熱材１Ｄの防湿フィルム１７Ｄの外側耳部１９Ｄが粘着テープ５０で防湿フィルム１７Ｃの外側耳部１８Ｃに接着されると共に、粘着テープ５１で柱４５に接着されている。
【００４８】
図１３に示す例では図１に示される断熱材１Ｇと、図１２に示す断熱材１Ｃ、１Ｄと同一構造の断熱材１Ｅ、１Ｆとを用いた施工方法を示しており、柱４５Ａと断熱材１Ｅ、１Ｆとの固定、接着構造は図１２に示す構造と同一であるが、断熱材１Ｇと柱４５Ｂと、断熱材１Ｆとの固定、接続構造が図１０、図１１および図１２に示す例と相違している。
【００４９】
この例では、断熱材１Ｆの防湿フィルム１７Ｆの外側耳部１９Ｆがガンタッカー止め５２と粘着テープ５３とで柱４５Ｂに固定された部分に、断熱材１Ｇの防湿フィルム１７Ｇの張り出し長さの長い外側耳部１８Ｇが重ねられ、粘着テープ５５で柱４５Ｂに固定されている外側耳部１９Ｆの外面に接着されると共に、外側耳部１８Ｇの外端縁が粘着テープ５４で、断熱材１Ｆの防湿フィルム１７Ｆに接着されており、防湿性能が向上させられている。
【００５０】
図１４は、図７に示される断熱材１Ａを柱５６、５７間に配設し、長手方向耳部３１Ａ、３１Ｂを敷桁５８、５９にガンタッカー止め、ステープル止めで固定するかあるいは粘着テープで接着するようにした使用例であり、図では長手方向耳部３１Ａ、３１Ｂが伸ばされて図示されているが、実際には敷桁に巻き付けるように固定される例である。
【００５１】
図１５は、同じく図７に示される断熱材１Ａが柱６０、６１と天井材６２と床材６３とで形成された空間部分に配設され上下の長手方向耳部３１Ｃ、３１Ｄと断熱材１Ａの両側縁から張り出している耳部とにより、天井材６２、床材６３および両側の柱６０、６１に、既述のごとく接着、固定される例である。
【００５２】
図１６は、請求項１０の発明である施工方法の実施の一例を示しており、柱４５Ｃ、４５Ｄ間に請求項３の発明の図２に示される実施例たる断熱材１Ｈ、１Ｊを嵌装し、固定した例である。
【００５３】
この実施例における断熱材１Ｈ、１Ｊは、内側耳部１２Ａ、１３Ａ、１３Ｂが防湿フィルム１７Ｈ、１７Ｊと遊離させられており、他方防湿外皮７Ｈ、７Ｊは粘着テープあるいはホットメルト接着剤６４等により断熱素材の下面に強固に接着されると共に、防湿フィルム１７Ｈ、１７Ｊは外側耳部１９Ｈ、１９Ｊ、１９Ｋを除く部分が粘着テープあるいはホットメルト接着剤６５等により防湿外皮７Ｈ、７Ｊに強固に接着されている。
【００５４】
請求項１０の発明では、断熱材１Ｈ、１Ｊを内側耳部１２Ａ、１３Ａ、１３Ｂにおいて、柱４５Ｃ、４５Ｄ等にガンタッカー止め６６等で固定したのち、防湿フィルム１７Ｈ、１７Ｊの外側耳部１９Ｈ、１９Ｊ、１９Ｋをガンタッカー止め６７等により柱４５Ｃ、４５Ｄに固定することにより建造物への断熱材の取付け、すなわち施工が完了する。
【００５５】
請求項１０の発明は、建造物への断熱材の固定と防湿フィルムの張設を作業員１名のみで行いうる点に特徴を有する。
【００５６】
【発明の効果】
請求項１の発明では、少なくとも上面が透湿性の外皮で被覆され、下面が防湿性の外皮で被覆されている断熱材の、前記防湿性を有する外皮の外面に、該外面より広い面積で、かつ外側耳部を張り出し形成された厚さ１００μｍ以上の防湿フィルムが接着されているので、この無機質繊維製耳付断熱材を、各外側耳部を利用して建造物に固着、接着するのみで、通商産業省・建設省告示第２号及び建設省告示第９９８号で指定される１地域あるいは同告示に示される「次世代基準」で指定される１地域における断熱材の施工が完結し、従来必要であった断熱材施工後の防湿層施工工程を省略でき、従って前記告示の条件を満たすための工程の省略、工期の短縮、工費の節減を図りうる効果を奏する。
【００５７】
請求項２および請求項６の発明によると、少なくとも上面が透湿性の外皮で被覆されている断熱材の下面の全外面に該外面より広い面積で、かつ外側耳部を張り出し形成された厚さ１００μｍ以上の防湿フィルムが接着されているので、前記建設省告示で指定された１地域以外に使用される断熱材の断熱効果を、工程の増加、工期の延長等を伴なわず、僅かな工費の増加のみで大幅に向上させうる効果を奏する。
【００５８】
請求項３の発明によると、断熱素材の上面および下面を被覆する外皮で形成された内側耳部を、断熱材を柱等の構造物へ固定するため固定片として利用できるので、断熱材の固定を強固なものとすることができる効果を奏する。
【００５９】
請求項４の発明によると、断熱素材への外皮の接着工程を省略でき、防湿フィルムの接着工程を要するのみであるため、生産効率の向上、使用材料費の節減が図れ、しかも断熱材としての防湿性は接着される厚さ１００μｍ以上の合成樹脂フィルムを主材とする防湿フィルムで完全に維持できる効果を奏する。
【００６０】
請求項５の発明によると、一側の耳部が断熱材側面から１５０mm以上の張り出し幅とされているので建造物の設計に対応させて、無駄の無い張り出し幅の耳部を形成できるし、他側の耳部の張り出し幅は１００〜２５０mmの範囲とされているので、柱の幅の大小あるいは隣位の断熱材との十分な重なり代の確保による断熱効果の向上を図ることができる効果を奏する。
【００６１】
請求項７の発明によると、断熱材の長手方向両端の端面から張り出し幅２５０mm以下の長手方向耳部が形成されているので、柱と天井材との連続部、柱と床材との連続部あるいは部屋の隅部、天井材と敷桁との連続部等において、断熱材と建造物との間に隙間を形成することなく断熱材を組み付けることができる効果があり、更には長手方向耳部の張り出し幅を、断熱効果の維持に必要な最長寸法である２５０mm以下の必要な寸法としてあり、２５０mm以上の張り出し幅としても断熱効果の向上は認められないので、防湿フィルムの使用量を必要最小限に留めうる効果も有している。
【００６２】
請求項８の発明では、断熱効果の発現が最も大きい平均繊維径４〜８μｍの無機質繊維の断熱素材に、請求項１ないし請求項５のいずれかの断熱材の構造的特長を付加したので、無機質繊維製耳付断熱材の断熱効果を最大限に発揮させうる効果を奏する。
【００６３】
請求項９の発明によると、既述の請求項１ないし請求項６の各発明の実施に当り、ガラスウールの細断条の飛散による作業環境の悪化を完全に防止できるので、作業効率の向上と工期の短縮を図る面で有意義な効果を奏する。
【００６４】
請求項１０の発明によると、断熱材の装着、固定、防湿フィルムの張設、接着を、１人の作業員により、個々の断熱材ごとに順次行うことができ、最終的には、従来方法で必要であった、断熱材の嵌装、固定作業とは別作業として行う必要のあった、防湿フィルムの緊張状態での張設、隙間なしの固定、接着を行う工程と、この工程のために必要であった複数の作業員を省略でき、作業の簡略化、工程の短縮、工費の節減等を実現しうる効果を奏し、更に、断熱材の建造物に対する固定を著しく強固にしうる効果を奏する。
【図面の簡単な説明】
【図１】 請求項１、請求項３、請求項５および請求項８の発明を併せ適用した実施の一例の一部を省略して示した略示斜面図である。
【図２】 請求項１、請求項３および請求項８の発明を併せ適用した実施の一例の一部を省略して示した略示斜面図である。
【図３】 請求項６の発明の実施の一例の一部を省略して示した略示斜面図である。
【図４】 請求項１および請求項８の両発明の実施の一例の一部を省略して示した略字斜面図である。
【図５】 請求項４および請求項８の両発明の実施の一例の一部を省略して示した略示斜面図である。
【図６】 請求項７の発明の第１の実施例の一部を省略して示した略示斜面図である。
【図７】 請求項７の発明の第２の実施例の一部を省略して示した略示斜面図である。
【図８】 請求項７の発明の第３の実施例の一部を省略して示した略示斜面図である。
【図９】 請求項９の発明の実施の一例の一部を省略して示した略示斜面図である。
【図１０】 断熱材と柱との固着構造の第１の例の略示横断面図である。
【図１１】 断熱材と柱との固着構造の第２の例の略示横断面図である。
【図１２】 断熱材と柱との固着構造の第３の例の略示横断面図である。
【図１３】 断熱材と柱との固着構造の第４の例の略示横断面図である。
【図１４】 図７に示す断熱材と柱、敷桁との固着構造の一例の略示正面図である。
【図１５】 図７に示す断熱材と柱、床材、天井材との固着構造の一例を背面から示した略示斜面図である。
【図１６】 請求項３の発明たる断熱材と柱との固着構造の実施の一例の略示横断面図である。
【符号の説明】
１ 断熱素材
１Ａ 断熱材
２ 上面
３、４ 側面
５ 透湿性の外皮
６ 下面
７、１４、２８ 防湿性の外皮
１２、１３ 内側耳部
１４ 防湿フィルム
１５、１６、１８、１９、２３、２４ 外側耳部
２５ 端面
２７、３１、３２ 長手方向耳部
４５ 柱
ＷＡ、ＷＢ、ＷＣ、ＷＤ 張り出し幅
【図１】
0004237896.tif 000002
【図２】
0004237896.tif 000003
【図３】
0004237896.tif 000004
【図４】
0004237896.tif 000005
【図５】
0004237896.tif 000006
【図６】
0004237896.tif 000007
【図７】
0004237896.tif 000008
【図８】
0004237896.tif 000009
【図９】
0004237896.tif 000010
【図１０】
0004237896.tif 000011
【図１１】
0004237896.tif 000012
【図１２】
0004237896.tif 000013
【図１３】
0004237896.tif 000014
【図１４】
0004237896.tif 000015
【図１５】
0004237896.tif 000016
【図１６】
0004237896.tif 000017